(57)【要約】    本発明は、紙幣の束の包装に関し、例えば銀行において使用することができる。本発明の目的は、紙幣の束を紙幣ストラップで包装する工程の際に変形した紙幣の束を真っ直ぐにする装置であって、該装置は紙幣の束を真っ直ぐにする工程を簡略化し、ストラップの側方縁部と接触する箇所での紙幣束の頂部の紙幣が裂けるのを防止し、かつ包装工程の効率を全体的に向上させることができる。紙幣の束を横断紙幣ストラップ（１）で包装する工程の際にその長手方向軸に沿って曲がった紙幣の束（２）を真っ直ぐにする装置であって、該装置は幅が変化するプレート（３）形状とされ、プレート（３）の最少の幅Ｗは、横断ストリップを曲った紙幣の束（２）の周囲に巻きつけた時に存在する間隙の幅Ｗｓを超えず、かつ最大幅Ｗは紙幣の幅Ｗｂに合致する。該プレートの両横側面（７）は滑らかな凸状曲面とすることができ、  プレート（３）はその中央領域に切り欠け部（５）を備え、該切り欠け部の外形（６）はプレートの横側面から等距離とすることができ、プレートの横側面及び切りかけの外形に沿った縁部（８，９）を丸くすることができる。横側面の最少曲率点でプレート（３）を２つの部分（１０、１１）に分け、該部分をヒンジ（１２）によって連結し、プレートの各部分が他に対して固定できる態様となっている。
2010513147.tif 000002
【特許請求の範囲】
【請求項１】
紙幣の束を横断紙幣ストラップで包装する工程の際にその長手方向軸に沿って曲がった紙幣の束を真っ直ぐにする装置であって、該装置は幅が変化するプレート形状とされ、プレートの最少の幅は、横断ストリップを曲った紙幣の束の周囲に巻きつけた時に存在する間隙の幅を超えず、かつ最大幅は紙幣の幅に合致することを特徴とする、紙幣の束を真っ直ぐにする装置。
【請求項２】
プレートの横側面は、滑らかな凸曲面となっていることを特徴とする請求項１の装置。
【請求項３】
プレートはその中央領域に切り欠け部を備え、該切り欠け部の外形はプレートの横側面から等距離となっていることを特徴とする請求項２の装置。
【請求項４】
プレートの横側面の縁部及び切り欠け部の外形に沿った縁部は丸くしてあることを特徴とする請求項３の装置。
【請求項５】
プレートの横側面の最少曲率点でプレートが２つに分割され、該部分はヒンジによって連結され、プレートの各部分が他に対して固定できる態様となっていることを特徴とする請求項３の装置。
【発明の詳細な説明】
【技術分野】
【０００１】
本発明は、紙幣の束の包装に関し、例えば、銀行などで使用することができる。
【背景技術】
【０００２】
最近まで、重ねて束とした紙幣は一般的には２つの互いに直交するストラップ、主として紙製のストラップによって包装し、ストラップは、それらの交差点で一緒に固定していた。ポリエチレンのテープ製のストラップもときとして用いられていた。ロシア特許２０７３６２６Ｃ１参照。
【０００３】
しかしながら、ここ数年では、ロシアの最大の銀行群のうち主要な銀行（ズべアー（Ｓｂｅｒ）銀行、ＶＴＢ銀行、ＶＴＢノース―ウエスト銀行、モスクワ銀行等）は、単一の横断紙幣ストラップとしたパッケージに紙幣の束を包装し始めている。ロシア特許出願公開公報ＲＵ２２４６５Ｕ１参照。上記パッケージと比較した場合、単一の横断紙幣ストラップとしたパッケージの利点は、それにより紙幣の束を包装するためにより簡易かつ廉価な解決法が得られるという点にある。また、その場合にはパッケージエレメントを一緒に固定する工程が不要となる。さらに、ロシア特許２０７３６２６Ｃ１に記載されたパッケージ及び他の類似のパッケージは、直接銀行に配置した特別な装置によって包装工程中にテープから作られるが、単一の横断紙幣ストラップ形状の上記パッケージは包装の場所の外、例えばプリントショップで作成することができ、その製造を事前に行うことができる。その結果、包装そのものだけが銀行で行なわれるが、紙幣の束は、その長手方向軸にそって多少湾曲して横断紙幣ストラップ中に差し込まれる。差し込みは、ヒトあるいは特別な装置によって行われる。たとえば、ロシア特許第２２２６４８８Ｃ１号参照。紙幣の束は、ヒトあるいは種々の装置によって予め変形させることもできる。たとえば、ロシア特許出願公開公報第２４１８３Ｕ１号参照。横断紙幣ストラップを紙幣の束の周囲に配置した際に、紙幣の束は曲がらずにかなりの程度まで真っ直ぐになる。
【０００４】
しかしながら、紙幣の頂部の何枚か（１−３枚）の紙幣の両側縁部は横断ストラップに接する箇所で上方に曲がったままとなっている。現在、紙幣の束を完全に真っ直ぐにして紙幣の束がその当初の外観となるようにするために、かつストラップによって束全体を非常にきつく保持するようにストラップを締め、同時に横断ストラップの両側面縁部に接触する箇所で頂部の紙幣が損傷（破れる）のを回避するために、人が紙幣の束の頂部の紙幣を非常に慎重に真っ直ぐにしなければならなかったが、これは不便でかつ非効率的である。
【０００５】
出願人は、横断紙幣ストラップで包装する際に変形した紙幣の束を真っ直ぐにする既知の装置は何ら見出していない。従って、本発明にはプロトタイプのものはない。
【発明の概要】
【発明が解決しようとする課題】
【０００６】
本発明は、横断紙幣ストラップで包装する際に変形した紙幣の束を真っ直ぐにする装置を提供することを目的とする。この装置は、紙幣の束をより便利に真っ直ぐにしなければならず、かつ紙幣の束の頂部の紙幣がストラップの側面縁部と接触する箇所で裂けるのを防止するものでなければならず、さらに包装工程の効率を全体的に向上させるものでなければならない。
【課題を解決するための手段】
【０００７】
本発明は、横断紙幣ストラップで紙幣の束を包装する工程の中で、その長手方向に沿って曲がった紙幣の束を真っ直ぐにする装置を提供するもので、該装置は幅が変化するプレート形状とされ、プレートの最小幅は横断ストラップを曲がった紙幣の束の周りに巻く際に存在する間隙の幅を超えず、かつ最大幅は紙幣の幅に合致していることを特徴とするものである。該プレートの横側面を滑らかな凸局面に沿った形とすることができる。
プレートは、その中央領域に切り欠け部を設け、該切り欠け部の輪郭をプレートの横側面から等距離とすることができる。プレートの横側面及び切り欠け部の形状に沿ったプレートの端部を丸めることができる。プレートをその横側面の最小の曲率半径の点で２つの部分に分割し、これらの部分をヒンジによって連結し、プレートのこれらの部分を互いに固定することができるような態様とすることができるようになっている。
【発明の効果】
【０００８】
出願人は、同一目的を有する装置についてのデータを包含する情報源を何ら見出していないので、このことにより、本発明は「新規性」（Ｎ）の基準に適合すると結論付けることができる。
【０００９】
本発明の装置によって得られる技術的成果は、横断紙幣ストラップで包装された紙幣の束を人が真っ直ぐにする場合あるいはこの作業のため他の既知の手段を用いた場合には達成することはできなかったものである。出願人は、この事実により、本発明は「進歩性」（ＩＳ）の基準に合致すると結論付けることができると考える。
【図面の簡単な説明】
【００１０】
図１は、紙幣ストラップ中に挿入し変形した紙幣の束である。
図２は、図１の紙幣の束の左側面図である。
図３は、請求項１と２で権利請求を行っている、横断紙幣ストラップに挿入した紙幣の束を真っ直ぐにする装置である。
図４は、図３のＡ−Ａでの断面図である。
図５は、ストラップと紙幣の束との間の間隙に本発明の装置を挿入する瞬間を示す本発明の装置である。
図６は、本発明の装置をストラップと紙幣の束の間に挿入した紙幣の束の横断面図である。
図７は、請求項３で権利請求をしている装置の平面図である。
図８は、図７のＢ−Ｂ断面図である。
図９は、請求項４で権利請求をしている装置の断面図である。
図１０は、請求項５で権利請求をしている装置の平面図である。
【発明を実施するための形態】
【００１１】
本発明を以下の図面を参照して、礼としてさらに説明する。横断紙幣ストラップに挿入する際に紙幣の束２の長手軸に沿って曲った紙幣の束を真っ直ぐにする装置は、幅が変化するプレート３の形状とされる。プレート３は、それを束２の凹状側においてストラップ１と曲った束２の間の間隙４にプレートを挿入できるようになっており、プレート3の最大幅Ｗは、束２の紙幣の幅”Ｗｂ"に一致している（等しいか、あるいは誤差の値だけ異なる）。
【００１２】
プレート３の横側面７は、滑らかな凸曲面に沿ったものとすることができる。あるいは、プレート3をその中央領域に切り欠き部５を有するものとすることができ、切り欠き部の輪郭６を、プレート３の横側面７から等距離とすることができる。
【００１３】
プレート３の横側面７の縁部８及び切り欠き部５の輪郭６に沿ったプレート縁部９を丸くすることができる（図９参照）。
【００１４】
プレート３は、その横側面７の最少曲率半径の点で２つの部分１０と１１とに分割することができる。該部分１０と１１は、ヒンジ１２によって連結されている。ヒンジ１２はプレート３の部分１０と１１との間のヒンジ連結部を形成するのみならず、該各部分を他に対して固定することが可能とする。この目的のため、この特定の実施態様では、ヒンジ１２をナットを備えたねじとする。プレート３の部分１０と１１とのヒンジ連結部によって、幅Ｗの値を変更して、紙幣の幅Ｗｂに応じて幅を選択することが可能となっている。
【００１５】
プレート３は、プラスチック、金属あるいは他の何らかの適当な構造材料から形成することができる。
【００１６】
横断紙幣ストラップ１に挿入されその長手方向軸に沿って曲った紙幣の束２は、本発明の装置によって手で、あるいは手で真っ直ぐにするのと同一の態様となるように本発明の装置を操作する或る種の機構によって真っ直ぐにすることができる。
【００１７】
紙幣の束２を真っ直ぐにするために、プレート３をストラップ１と曲った紙幣の束２との間の間隙４に手で挿入する。プレート３の両横側面７は、ストラップ１と接触する位置で上方に曲がっている頂部紙幣（最初の１〜３枚の紙幣）の両側方縁部と互いに作用し始める。その結果、頂部の紙幣の上記側方縁部は真っ直ぐになり、全体の紙幣の束２も真っ直ぐになり、ストラップ１は引き伸ばされ、それによって紙幣の束２は非常にきつく保持される（図6参照）。同様に、プレート３を操作する機構によっても、紙幣の束２は真っ直ぐにされる。従属請求項３，４，５で権利請求している本発明の別の態様によっても、紙幣の束２は同様に真っ直ぐにされる。図１０に示す別の態様では、装置の外形の形状は、プレート３の部分１０と１１とをヒンジ１２に関して相互に回すことによって変化することができる。
【産業上の利用可能性】
【００１８】
紙幣の束を真っ直ぐにする装置は、通常の装置及び既知の材料を用いて工場において製造することができるので、出願人は、これにより本発明は「産業上の利用可能性］（ＩＡ）の基準に合致すると結論付けることができると考える。
【図１】
2010513147.tif 000003
【図２】
2010513147.tif 000004
【図３】
2010513147.tif 000005
【図４】
2010513147.tif 000006
【図５】
2010513147.tif 000007
【図６】
2010513147.tif 000008
【図７】
2010513147.tif 000009
【図８】
2010513147.tif 000010
【図９】
2010513147.tif 000011
【図１０】
2010513147.tif 000012
【国際調査報告】
2010513147.tif 000013
2010513147.tif 000014